Podtech/llm-jp-corpus-v4-ja_patent huggingface dataset:
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
コンピュータ実行可能コンポーネントを格納するメモリと、
前記メモリ中に格納された前記コンピュータ実行可能コンポーネントを実行するプロセッサであって、前記コンピュータ実行可能コンポーネントが、
第一クライアント・アプリケーション・プログラム・インターフェースの第一記述に関連付けられたテキスト・データを除去することによって生成される改変クライアント・アプリケーション・プログラム・インターフェースに基づいて、前記第一クライアント・アプリケーション・プログラム・インターフェースと、第二クライアント・アプリケーション・プログラム・インターフェースとの間の意味的類似性を判断し、
前記意味的類似性に基づいて、前記第一記述と、前記第二クライアント・アプリケーション・プログラム・インターフェースの第二記述とを突合わせ、１つ以上の一致するクライアント・アプリケーション・プログラム・インターフェースを得、および
前記１つ以上の一致したクライアント・アプリケーション・プログラム・インターフェースに基づいて、前記第一クライアント・アプリケーション・プログラム・インターフェースを或るコミュニティに関連付ける、
インテント・ジェネレータ・コンポーネントを含む、
前記プロセッサと、
を含む、システム。
【請求項２】
前記コンピュータ実行可能コンポーネントが、
前記第一クライアント・アプリケーション・プログラム・インターフェースに関連付けられた第一データを受信し、前記第一クライアント・アプリケーション・プログラム・インターフェースに関連付けられたテキスト・データを除去することによって前記第一データを前処理し、前記改変クライアント・アプリケーション・プログラム・インターフェースを得るプレプロセッサ・コンポーネント、
をさらに含む、請求項１に記載のシステム。
【請求項３】
前記コミュニティが第一コミュニティであり、前記インテント・ジェネレータ・コンポーネントが、前記改変クライアント・アプリケーション・プログラム・インターフェースを含む第二コミュニティを生成し、前記第二コミュニティが推奨を生成するために用いられる、請求項１に記載のシステム。
【請求項４】
前記コンピュータ実行可能コンポーネントが、
前記意味的類似性に基づいて、前記クライアント・アプリケーション・プログラム・インターフェースと、前記１つ以上のクライアント・アプリケーション・プログラム・インターフェースとを突合わせるクエリ・マッチャ・コンポーネント、
をさらに含む、請求項１に記載のシステム。
【請求項５】
前記テキスト・データが、前記クライアント・アプリケーション・プログラム・インターフェース内で繰り返されていると判断されたテキストを表現する冗長なテキストを含む、請求項１に記載のシステム。
【請求項６】
前記インテント・ジェネレータ・コンポーネントが、トピック非負値行列因数分解を用いて前記冗長なテキストを抽出することによって前記冗長なテキストを除去する、請求項５に記載のシステム。
【請求項７】
前記１つ以上のコミュニティが、トピック非負値行列因数分解に関連付けられたトピックモデリングに基づいて生成される、請求項１に記載のシステム。
【請求項８】
前記１つ以上のコミュニティが、キーワードを生成するために用いられる、請求項７に記載のシステム。
【請求項９】
プロセッサに、
第一クライアント・アプリケーション・プログラム・インターフェースの第一記述に関連付けられたテキスト・データを除去することによって生成される改変クライアント・アプリケーション・プログラム・インターフェースに基づいて、前記第一クライアント・アプリケーション・プログラム・インターフェースと、第二クライアント・アプリケーション・プログラム・インターフェースとの間の意味的類似性を判断させ、
前記意味的類似性に基づいて、前記第一記述と、前記第二クライアント・アプリケーション・プログラム・インターフェースの第二記述とを突合わせ、１つ以上の一致するクライアント・アプリケーション・プログラム・インターフェースを得させ、
前記１つ以上の一致したクライアント・アプリケーション・プログラム・インターフェースに基づいて、前記第一クライアント・アプリケーション・プログラム・インターフェースを或るコミュニティに関連付けさせるためのコンピュータ・プログラム。
【請求項１０】
プロセッサが、
第一クライアント・アプリケーション・プログラム・インターフェースの第一記述に関連付けられたテキスト・データを除去することによって生成される改変クライアント・アプリケーション・プログラム・インターフェースに基づいて、前記第一クライアント・アプリケーション・プログラム・インターフェースと、第二クライアント・アプリケーション・プログラム・インターフェースとの間の意味的類似性を判断するステップと、
前記意味的類似性に基づいて、前記第一記述と、前記第二クライアント・アプリケーション・プログラム・インターフェースの第二記述とを突合わせ、１つ以上の一致するクライアント・アプリケーション・プログラム・インターフェースを得るステップと、
前記１つ以上の一致したクライアント・アプリケーション・プログラム・インターフェースに基づいて、前記第一クライアント・アプリケーション・プログラム・インターフェースを或るコミュニティに関連付けるステップと、を実行するコンピュータ実装方法。
【請求項１１】
コンピュータ実行可能コンポーネントを格納するメモリと、
前記メモリ中に格納された前記コンピュータ実行可能コンポーネントを実行するプロセッサであって、前記コンピュータ実行可能コンポーネントが、
アプリケーション・プログラム・インターフェース記述に関連する第一テキスト・データを含むクエリを受信し、
前記クエリの前記第一テキスト・データと前記クエリに関連するトピックの第二テキスト・データとを対比することによって、前記第一テキスト・データと前記第二テキスト・データとの間の類似性に基づくスコア・データを生成する、
クエリ・マッチャ・コンポーネントを含む、前記プロセッサと、
を含むシステム。
【請求項１２】
前記第二テキスト・データが、前記トピックに関連するテキストを表すテキスト・データであると判断されている、請求項１１に記載のシステム。
【請求項１３】
前記スコア・データが、前記クエリを受信するのに応答して出力することになる推奨を表す推奨データを含む、請求項１１に記載のシステム。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
音声ヘッドセットによる空間的加工を意図して復号された信号に対してバイノーラル化処理を実行するステップを含む、３Ｄ音声デコーダ内での音声モノラル信号を処理する方法であって、
前記モノラル信号を表すデータストリーム内で、空間位置情報の加工が関連付けられた非バイノーラル化処理の指示を検出すると（Ｅ２００）、前記復号されたモノラル信号が、位置情報を考慮に入れて２個の加工チャネルを構築する（Ｅ２２０）ステレオ加工器及び／又は混合モジュールに誘導され（Ｏ−Ｅ２００）、前記２個のチャネルが、前記音声ヘッドセットによる加工（Ｅ２４０）を目的として、前記２個のチャネルをバイノーラル化処理から生じたバイノーラル信号と合算する直接混合ステップ（Ｅ２３０）で直接処理される方法。
【請求項２】
前記加工空間位置情報が、前記加工音声ヘッドセットの単一のチャネルを示すバイナリデータである、請求項１に記載の方法。
【請求項３】
前記バイナリデータで示すチャネルに対応する加工チャネルだけが、前記直接混合ステップにおける前記バイノーラル信号の対応するチャネルと合算され、他の加工チャネルの値はヌルである、請求項２に記載の方法。
【請求項４】
前記モノラル信号が、前記加工空間位置情報と共に、前記ステレオ加工器及び／又は混合モジュールに誘導されるチャネル型信号である、請求項１に記載の方法。
【請求項５】
前記加工空間位置情報が両耳間レベル差（ＩＬＤ）に関するデータである、請求項４に記載の方法。
【請求項６】
前記モノラル信号が、前記非バイノーラル化処理の指示及び前記加工位置情報を含む加工パラメータの組に関連付けられたオブジェクト型信号であり、前記信号が前記加工位置情報と共に前記ステレオ加工器及び／又は混合モジュールに誘導されている、請求項１に記載の方法。
【請求項７】
前記加工空間位置情報が方位角に関するデータである、請求項６に記載の方法。
【請求項８】
音声ヘッドセットによる空間的加工を意図して復号された信号に対してバイノーラル化処理を実行するモジュールを含む、音声モノラル信号の処理装置であって、
−前記モノラル信号を表すデータストリーム内で、加工空間位置情報に関連付けられた非バイノーラル化処理の指示を検出可能な検出モジュール（３３０；４３０）と、
−前記検出モジュールによる検出が成功した場合に、前記復号されたモノラル信号をステレオ加工器に誘導可能な転送モジュール（３３０，４３０）と、
−位置情報を考慮に入れて２個の加工チャネルを構築可能であり、２個の加工チャネルを、前記音声ヘッドセットによる加工を目的として、バイノーラル化処理（３２０；４２０）を実行するモジュールにより生成されたバイノーラル信号と合算することにより、直接処理するステレオ加工器（３３１；４３１）及び／又は混合モジュール（３４０；４４０）と、
を含む装置。
【請求項９】
前記ステレオ加工器が前記混合モジュールに組み込まれている、請求項８に記載の装置。
【請求項１０】
前記モノラル信号がチャネル型信号であり、前記ステレオ加工器が、マルチチャネル信号用の加工チャネルを更に構築するチャネル加工器に組み込まれている、請求項８に記載の装置。
【請求項１１】
前記モノラル信号がオブジェクト型信号であり、前記ステレオ加工器が、加工パラメータの組に関連付けられたモノラル信号用の加工チャネルを更に構築するオブジェクト加工器に組み込まれている、請求項８に記載の装置。
【請求項１２】
請求項８〜１１のいずれか１項に記載の処理装置を含む音声デコーダ。
【請求項１３】
プロセッサにより実行されたとき、請求項１〜７のいずれか１項に記載の処理方法のステップを実行するコード命令を含むコンピュータプログラム。
【請求項１４】
請求項１〜７のいずれか１項に記載の処理方法を実行する命令を含むコンピュータプログラムを保存するプロセッサ可読記憶媒体。
【手続補正書】
【提出日】令和2年6月19日(2020.6.19)
【手続補正１】
【補正対象書類名】明細書
【補正対象項目名】００８５
【補正方法】変更
【補正の内容】
【００８５】
３）周波数ホッピング（ｈｏｐｐｉｎｇ）のフラグ：１ビットで構成される。このフィールドは、必要な場合、そのリソース割り当ての最上位ビット（ＭＳＢ：Ｍｏｓｔ  Ｓｉｇｎｉｆｉｃａｎｔ  ｂｉｔ）を多重クラスタ（ｍｕｌｔｉ−ｃｌｕｓｔｅｒ）割り当てのために使用されることができる。
【表３】
2021508200.tif 000001
【手続補正２】
【補正対象書類名】明細書
【補正対象項目名】０１１１
【補正方法】変更
【補正の内容】
【０１１１】
１つの端末に対するＰＵＣＣＨは、サブフレームにおいてリソースブロック対（ＲＢ  ｐａｉｒ）として割り当てられる。リソースブロック対に属するリソースブロックは、第１スロットと第２スロットのそれぞれにおいて相異なるサブキャリアを占める。ＰＵＣＣＨに割り当てられるリソースブロック対に属するリソースブロックの占める周波数は、スロット境界（ｓｌｏｔ  ｂｏｕｎｄａｒｙ）を基準に変更される。これを、ＰＵＣＣＨに割り当てられるＲＢ対がスロット境界において周波数がホッピング（ｆｒｅｑｕｅｎｃｙ−ｈｏｐｐｅｄ）されたという。端末がアップリンク制御情報を時間に応じて相異なるサブキャリアを介して送信することにより、周波数ダイバーシティ利得を得ることができる。
図９において、ＮULRBは、アップリンクでのリソースブロックの個数を示し、０、１、．．．、ＮULRB−１は物理リソースブロックの番号を意味する。基本的に、ＰＵＣＣＨは、アップリンク周波数ブロックの両端（ｅｄｇｅ）にマッピングされる。図９に示すように、ｍ＝０、１で表示されるＰＵＣＣＨ領域にＰＵＣＣＨフォーマット２／２ａ／２ｂがマッピングされ、これは、ＰＵＣＣＨフォーマット２／２ａ／２ｂが帯域端（ｂａｎｄｅｄｇｅ）に位置したリソースブロックにマッピングされることと表現することができる。また、ｍ＝２で表示されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３、４、５で表示されるＰＵＣＣＨ領域にＰＵＣＣＨフォーマット１／１ａ／１ｂがマッピングされる。ＰＵＣＣＨフォーマット２／２ａ／２ｂにより使用可能なＰＵＣＣＨ  ＲＢの個数（Ｎ(2)RB）はブロードキャスティングシグナリングによりセル内の端末に指示されることができる。
【手続補正３】
【補正対象書類名】明細書
【補正対象項目名】０１１６
【補正方法】変更
【補正の内容】
【０１１６】
表６は、ＰＵＣＣＨフォーマットに応じるＰＵＣＣＨ復調参照信号（ｄｅｍｏｄｕｌａｔｉｏｎ  ｒｅｆｅｒｅｎｃｅ  ｓｉｇｎａｌ）のＳＣ−ＦＤＭＡシンボル位置を示した表である。表６において、ιはシンボルインデックスを示す。
【手続補正４】
【補正対象書類名】明細書
【補正対象項目名】０１７３
【補正方法】変更
【補正の内容】
【０１７３】
ＭＡＣヘッダは、少なくとも１つ以上のサブヘッダを含む。ここで、ＭＡＣヘッダに含まれる少なくとも１つ以上のサブヘッダは、それぞれのＭＡＣ  ＳＤＵ、ＭＡＣ制御要素及びパディングに対応するものであり、サブヘッダの順序は対応する要素の配置順序と同一である。例えば、図１３の例示のように、ＭＡＣ  ＰＤＵにＭＡＣ制御要素１、ＭＡＣ制御要素２、複数のＭＡＣ  ＳＤＵ及びパディングが含まれていたら、ＭＡＣヘッダにおいてはＭＡＣ制御要素１に対応されるサブヘッダ、ＭＡＣ制御要素２に対応されるサブヘッダ、複数のＭＡＣ  ＳＤＵのそれぞれに対応される複数のサブヘッダ及びパディングに対応されるサブヘッダが順番に配置される。
【手続補正５】
【補正対象書類名】明細書
【補正対象項目名】０１７４
【補正方法】変更
【補正の内容】
【０１７４】
ＭＡＣヘッダに含まれるサブベッダは、図１３の例示のように、６つのヘッダフィールドを含む。具体的に、サブヘッダは、Ｒ／Ｒ／Ｅ／ＬＣＩＤ／Ｆ／Ｌの６つのヘッダフィールドを含む。
【手続補正６】
【補正対象書類名】明細書
【補正対象項目名】０１７５
【補正方法】変更
【補正の内容】
【０１７５】
固定されたサイズのＭＡＣ制御要素に対応されるサブヘッダ及びＭＡＣ  ＰＤＵに含まれたデータフィールドのうち最後のものに対応されるサブヘッダに対しては、図１３の例示のように、４つのヘッダフィールドを含むサブヘッダが使用される。このように、サブヘッダが４つのフィールドを含む場合、４つのフィールドはＲ／Ｒ／Ｅ／ＬＣＩＤであり得る。
【手続補正７】
【補正対象書類名】明細書
【補正対象項目名】０２３７
【補正方法】変更
【補正の内容】
【０２３７】
その後、前記基地局は、競争ベースランダムアクセス過程でのＳ２１０２０ステップと類似してランダムアクセス応答（Ｒａｎｄｏｍ  Ａｃｃｅｓｓ  Ｒｅｓｐｏｎｓｅ；メッセージ２ともいう）を端末に送信する（Ｓ２１１３０）。前述されたランダムアクセス過程において、ランダムアクセス応答に対してはＨＡＲＱが適用されないが、ランダムアクセス応答に対するアップリンク送信や競争解決のためのメッセージに対してはＨＡＲＱが適用される。従って、ランダムアクセス応答に対して端末はＡＣＫ又はＮＡＣＫを送信する必要がない。
【手続補正８】
【補正対象書類名】明細書
【補正対象項目名】０２５１
【補正方法】変更
【補正の内容】
【０２５１】
図２２は、ｓＵＥのＲＡＲ受信ウィンドウ２２０１０と、Ｌｅｇａｃｙ端末のＲＡＲ受信ウィンドウ２２０２０を示す一例である。ｓＴＴＩをサポートする端末のＲＡＲ受信ウィンドウのサイズは、従来のＬｅｇａｃｙ端末のＲＡＲウィンドウサイズより小さく設定されたが、モニターできる制御領域はＬｅｇａｃｙ端末がモニターできる制御領域より多いことが分かる。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
互いに垂直する第１の延在方向及び第２の延在方向を有する本体と、
複数のプリズム部と、を備え、
前記本体は、
前記第１の延在方向に沿って延在する入光面と、
前記入光面に接続された光学面とを含み、
前記光学面は、前記入光面に近い第１の側と、前記入光面から遠い第２の側とを有し、前記第２の延在方向は、前記第１の側から前記第２の側へ向かう延在方向に平行し、且つ、前記光学面は、前記第２の延在方向に沿って順次に配列された第１の領域、第２の領域及び第３の領域を有し、
前記複数のプリズム部は、前記光学面に設置され、それぞれ前記第２の延在方向に沿って延在しており、前記第１の領域に位置する部分の面積比は、前記第２の領域に位置する部分の面積比より大きく、且つ、前記第３の領域に位置する部分の面積比より小さい
ことを特徴とする、導光板。
【請求項２】
各前記プリズム部は、前記第１の領域に位置する第１の幅と、前記第２の領域に位置する第２の幅と、前記第３の領域に位置する第３の幅を有し、前記第１の幅は、前記第２の幅より大きく、且つ、第１の幅は、前記第３の幅より小さい
ことを特徴とする、請求項１に記載の導光板。
【請求項３】
各前記プリズム部は、複数のプリズム構造が前記第２の延在方向に沿って配列することにより形成され、前記第１の領域に位置する各前記プリズム構造は第１の幅を有し、前記第２の領域に位置する各前記プリズム構造は第２の幅を有し、前記第３の領域に位置する各前記プリズム構造は第３の幅を有し、前記第１の幅は、前記第２の幅より大きく、且つ、前記第１の幅は、前記第３の幅より小さい
ことを特徴とする、請求項１に記載の導光板。
【請求項４】
各前記プリズム部は、複数のプリズム構造が前記第２の延在方向に沿って配列することにより形成され、前記第１の領域に位置する前記プリズム構造の配列密集度は、前記第２の領域に位置する前記プリズム構造の配列密集度より大きく、且つ、前記第３の領域に位置する前記プリズム構造の配列密集度より小さい
ことを特徴とする、請求項１に記載の導光板。
【請求項５】
各前記プリズム部は、複数のプリズム構造が前記第２の延在方向に沿って配列することにより形成され、前記第２の延在方向に沿って前記第１の領域に位置する任意の２つの隣接するプリズム構造の間に第１の間隔があり、前記第２の延在方向に沿って前記第２の領域に位置する任意の２つの隣接するプリズム構造の間に第２の間隔があり、前記第２の延在方向に沿って前記第３の領域に位置する任意の２つの隣接するプリズム構造の間に第３の間隔があり、前記第２の間隔は、前記第１の間隔より大きく、且つ、前記第１の間隔は、前記第３の間隔より大きい
ことを特徴とする、請求項１に記載の導光板。
【請求項６】
各前記プリズム部は、複数のプリズム構造が前記第２の延在方向に沿って配列することにより形成され、
各前記プリズム構造は、
前記入光面に対して傾斜し、底部から頂部に延びる第１の傾斜角を形成する、第１の光学面と、
前記入光面に対して傾斜し、底部から頂部に延びる第２の傾斜角を形成する、第２の光学面とを含み、
前記第１の傾斜角は、前記第２の傾斜角より小さく、且つ、前記第１の光学面は、前記入光面に接近しており、前記第２の光学面は、前記入光面から離れている
ことを特徴とする、請求項１に記載の導光板。
【請求項７】
各前記プリズム構造における前記第１の光学面と前記第２の光学面との接続により稜線が形成され、前記稜線は、前記第１の側に実質的に平行している
ことを特徴とする、請求項６に記載の導光板。
【請求項８】
各前記プリズム部は、複数のプリズム構造が前記第２の延在方向に沿って配列することにより形成され、各前記プリズム構造は、互いに接続されている
ことを特徴とする、請求項１または２に記載の導光板。
【請求項９】
前記光学面に設置され、且つ、前記第１の側と前記第１の領域との間に位置する、複数の光混合構造を更に備える
ことを特徴とする、請求項１乃至８のいずれか１項に記載の導光板。
【請求項１０】
請求項１乃至９のいずれか１項に記載の導光板と、
前記入光面に隣接して設けられる光源と、を備える
ことを特徴とする、バックライトモジュール。
【請求項１１】
請求項１０に記載のバックライトモジュールと、
前記導光板の前方に設置されている表示パネルと、を備える
ことを特徴とする、表示装置。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
不揮発性メモリセルのアレイと、
コントローラであって、
入力データに関連付けられたプログラミング値を識別し、
前記入力データが、前記プログラミング値の下降値のタイミング順で、前記不揮発性メモリセルのうちの少なくともいくつかにプログラムされるプログラミング動作を実行するように構成されている、コントローラと、を備える、メモリデバイス。
【請求項２】
前記不揮発性メモリセルは行及び列に配置され、前記不揮発性メモリセルのうちの前記少なくともいくつかは、前記不揮発性メモリセルの前記行のうちの１つである、請求項１に記載のメモリデバイス。
【請求項３】
前記不揮発性メモリセルは行及び列に配置され、前記不揮発性メモリセルのうちの前記少なくともいくつかは、前記不揮発性メモリセルの前記行のうちの２つである、請求項１に記載のメモリデバイス。
【請求項４】
前記コントローラは、
前記プログラミング動作を前記実行することの前に、前記不揮発性メモリセルのうちの前記少なくともいくつかの各々を中間プログラム値に事前プログラムするように更に構成される、請求項１に記載のメモリデバイス。
【請求項５】
不揮発性メモリセルのアレイと、
コントローラであって、
入力データに関連付けられたプログラミング値を識別することと、
前記入力データの各データを、それに関連付けられた前記プログラミング値に基づいて、複数のデータグループのうちの１つに関連付けることであって、前記データグループの各々は、固有のプログラミング値又は固有のプログラミング値の範囲に関連付けられている、関連付けることと、
前記入力データの前記データグループは、前記複数のデータグループの固有のプログラミング値又はプログラミング値の固有の範囲の下降値のタイミング順で、前記不揮発性メモリセルのうちの少なくともいくつかにプログラムされる、プログラミング動作を実行することと、を行うように構成されている、コントローラと、を備える、メモリデバイス。
【請求項６】
前記複数のデータグループは、２つのデータグループである、請求項５に記載のメモリデバイス。
【請求項７】
前記複数のデータグループの数は、前記入力データのデータ数に等しい、請求項５に記載のメモリデバイス。
【請求項８】
前記不揮発性メモリセルは行及び列に配置され、前記複数のデータグループの数は、前記不揮発性メモリセルの前記行のうちの１つ内の前記不揮発性メモリセルの数に等しい、請求項５に記載のメモリデバイス。
【請求項９】
前記不揮発性メモリセルは行及び列に配置され、前記複数のデータグループの数は、前記不揮発性メモリセルの前記行のうちの２つ内の前記不揮発性メモリセルの数に等しい、請求項５に記載のメモリデバイス。
【請求項１０】
前記不揮発性メモリセルは行及び列に配置され、前記不揮発性メモリセルのうちの前記少なくともいくつかは、前記不揮発性メモリセルの前記行のうちの１つである、請求項５に記載のメモリデバイス。
【請求項１１】
前記不揮発性メモリセルは行及び列に配置され、前記不揮発性メモリセルのうちの前記少なくともいくつかは、前記不揮発性メモリセルの前記行のうちの２つである、請求項５に記載のメモリデバイス。
【請求項１２】
前記コントローラは、
前記プログラミング動作を前記実行することの前に、前記不揮発性メモリセルのうちの前記少なくともいくつかの各々を中間プログラム値に事前プログラムするように更に構成される、請求項５に記載のメモリデバイス。
【請求項１３】
不揮発性メモリセルのアレイを備えるメモリデバイスを動作させる方法であって、該方法は、
入力データに関連付けられたプログラミング値を識別することと、
前記入力データが、前記プログラミング値の下降値のタイミング順で、前記不揮発性メモリセルのうちの少なくともいくつかにプログラムされるプログラミング動作を実行することと、を含む、方法。
【請求項１４】
前記不揮発性メモリセルは行及び列に配置され、前記不揮発性メモリセルのうちの前記少なくともいくつかは、前記不揮発性メモリセルの前記行のうちの１つである、請求項１３に記載の方法。
【請求項１５】
前記不揮発性メモリセルは行及び列に配置され、前記不揮発性メモリセルのうちの前記少なくともいくつかは、前記不揮発性メモリセルの前記行のうちの２つである、請求項１３に記載の方法。
【請求項１６】
前記プログラミング動作を前記実行するステップの前に、前記不揮発性メモリセルのうちの前記少なくともいくつかの各々を中間プログラム値に事前プログラムするステップを更に含む、請求項１３に記載の方法。
【請求項１７】
不揮発性メモリセルのアレイを備えるメモリデバイスを動作させる方法であって、該方法は、
入力データに関連付けられたプログラミング値を識別するステップと、
前記入力データの各データを、それに関連付けられた前記プログラミング値に基づいて、複数のデータグループのうちの１つに関連付けるステップであって、前記データグループの各々は、固有のプログラミング値又はプログラミング値の固有の範囲に関連付けられている、関連付けるステップと、
前記入力データの前記データグループは、前記複数のデータグループの前記固有のプログラミング値又はプログラミング値の前記固有の範囲の下降値のタイミング順で、前記不揮発性メモリセルのうちの少なくともいくつかにプログラムされる、プログラミング動作を実行するステップと、を含む、方法。
【請求項１８】
前記複数のデータグループは、２つのデータグループである、請求項１７に記載の方法。
【請求項１９】
前記複数のデータグループの数は、前記入力データのデータ数に等しい、請求項１７に記載の方法。
【請求項２０】
前記不揮発性メモリセルは行及び列に配置され、前記複数のデータグループの数は、前記不揮発性メモリセルの前記行のうちの１つ内の前記不揮発性メモリセルの数に等しい、請求項１７に記載の方法。
【請求項２１】
前記不揮発性メモリセルは行及び列に配置され、前記複数のデータグループの数は、前記不揮発性メモリセルの前記行のうちの２つ内の前記不揮発性メモリセルの数に等しい、請求項１７に記載の方法。
【請求項２２】
前記不揮発性メモリセルは行及び列に配置され、前記不揮発性メモリセルのうちの前記少なくともいくつかは、前記不揮発性メモリセルの前記行のうちの１つである、請求項１７に記載の方法。
【請求項２３】
前記不揮発性メモリセルは行及び列に配置され、前記不揮発性メモリセルのうちの前記少なくともいくつかは、前記不揮発性メモリセルの前記行のうちの２つである、請求項１７に記載の方法。
【請求項２４】
前記プログラミング動作を前記実行するステップの前に、前記不揮発性メモリセルのうちの前記少なくともいくつかの各々を中間プログラム値に事前プログラムするステップを更に含む、請求項１７に記載の方法。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
システムであって、
送信機と、
受信機と、
を備え、
前記送信機は、
ビデオストリームを複数のサブストリーム成分に分割することであって、前記複数のサブストリーム成分の各々は、前記ビデオストリームの異なる周波数範囲に対応しており、前記複数のサブストリーム成分のうち高周波数サブストリーム成分の各々は、前記複数のサブストリーム成分のうち正常に復号される低周波数サブストリーム成分の各々に依存する、ことと、
前記ビデオストリームの前記複数のサブストリーム成分のうち最低周波数のサブストリーム成分について動きベクトルパラメータを計算することと、
ビームフォーミングトランザクション及び肯定応答トランザクションのうち何れかに埋め込まれた前記動きベクトルパラメータを、第１変調符号化方式（ＭＣＳ）レベルで前記受信機に送信することであって、前記第１ＭＣＳレベルは第１閾値未満である、ことと、
を行うように構成されている、
システム。
【請求項２】
前記受信機は、ビデオフレームの所定のチャンクについて所定の最低周波数のサブストリーム成分を受信していないことに応じて、受信した動きベクトルパラメータに基づいて、前のビデオフレームの対応するチャンクの最低周波数のサブストリーム成分から外挿することによって、前記所定のチャンクの前記所定の最低周波数のサブストリーム成分を再構成するように構成されている、
請求項１のシステム。
【請求項３】
前記送信機は、
前記最低周波数のサブストリーム成分を第２ＭＣＳレベルで送信することと、
前記第１ＭＳＣレベルを、前記第２ＭＣＳレベルよりも低くなるように選択することと、
を行うように構成されている、
請求項１のシステム。
【請求項４】
前記受信機は、所定の動きベクトルパラメータセットを受信しないことに応じて、１つ以上の前の動きベクトルパラメータセットから外挿することによって、前記所定の動きベクトルパラメータセットを再生成するように構成されている、
請求項１のシステム。
【請求項５】
前記送信機は、前記ビデオストリームの前記複数のサブストリーム成分のうち前記最低周波数のサブストリーム成分のみについて前記動きベクトルパラメータを計算するように構成されている、
請求項１のシステム。
【請求項６】
前記高周波サブストリーム成分は、前記低周波サブストリーム成分の品質に対するインクリメンタル品質拡張を表す、
請求項１のシステム。
【請求項７】
ビデオストリームを複数のサブストリーム成分に分割することであって、前記複数のサブストリーム成分の各々は、前記ビデオストリームの異なる周波数範囲に対応しており、前記複数のサブストリーム成分のうち高周波数サブストリーム成分の各々は、前記複数のサブストリーム成分のうち正常に復号される低周波数サブストリーム成分の各々に依存する、ことと、
前記ビデオストリームの前記複数のサブストリーム成分のうち最低周波数のサブストリーム成分について動きベクトルパラメータを計算することと、
ビームフォーミングトランザクション及び肯定応答トランザクションのうち何れかに埋め込まれた前記動きベクトルパラメータを、第１変調符号化方式（ＭＣＳ）レベルで前記受信機に送信することであって、前記第１ＭＣＳレベルは第１閾値未満である、ことと、を含む、
方法。
【請求項８】
前記方法は、ビデオフレームの所定のチャンクについて所定の最低周波数のサブストリーム成分を受信していないことに応じて、受信した動きベクトルパラメータに基づいて、前のビデオフレームの対応するチャンクの最低周波数のサブストリーム成分から外挿することによって、前記所定のチャンクの前記所定の最低周波数のサブストリーム成分を再構成することをさらに含む、
請求項７の方法。
【請求項９】
前記最低周波数のサブストリーム成分を第２ＭＣＳレベルで送信することと、
前記第１ＭＳＣレベルを、前記第２ＭＣＳレベルよりも低くなるように選択することと、をさらに含む、
請求項７の方法。
【請求項１０】
前記方法は、所定の動きベクトルパラメータセットを受信しないことに応じて、１つ以上の前の動きベクトルパラメータセットから外挿することによって、前記所定の動きベクトルパラメータセットを再生成することをさらに含む、
請求項７の方法。
【請求項１１】
前記ビデオストリームの前記複数のサブストリーム成分のうち前記最低周波数のサブストリーム成分のみについて前記動きベクトルパラメータを計算することをさらに含む、
請求項７の方法。
【請求項１２】
前記高周波サブストリーム成分は、前記低周波サブストリーム成分の品質に対するインクリメンタル品質拡張を表す、
請求項７の方法。
【請求項１３】
処理ユニットと、
メモリと、
を備える送信機であって、
前記送信機は、
ビデオストリームを複数のサブストリーム成分に分割することであって、前記複数のサブストリーム成分の各々は、前記ビデオストリームの異なる周波数範囲に対応しており、前記複数のサブストリーム成分のうち高周波数サブストリーム成分の各々は、前記複数のサブストリーム成分のうち正常に復号される低周波数サブストリーム成分の各々に依存する、ことと、
前記ビデオストリームの前記複数のサブストリーム成分のうち最低周波数のサブストリーム成分について動きベクトルパラメータを計算することと、
ビームフォーミングトランザクション及び肯定応答トランザクションのうち何れかに埋め込まれた前記動きベクトルパラメータを、第１変調符号化方式（ＭＣＳ）レベルで前記受信機に送信することであって、前記第１ＭＣＳレベルは第１閾値未満である、ことと、
を行うように構成されている、
送信機。
【請求項１４】
前記送信機は、
前記最低周波数のサブストリーム成分を第２ＭＣＳレベルで送信することと、
前記第１ＭＳＣレベルを、前記第２ＭＣＳレベルよりも低くなるように選択することと、
を行うように構成されている、
請求項１３の送信機。
【請求項１５】
前記第１ＭＣＳレベルは０である、
請求項１４の送信機。
【請求項１６】
前記送信機は、前記ビデオストリームの前記複数のサブストリーム成分のうち前記最低周波数のサブストリーム成分のみについて前記動きベクトルパラメータを計算するように構成されている、
請求項１３の送信機。
【請求項１７】
前記高周波サブストリーム成分は、前記低周波サブストリーム成分の品質に対するインクリメンタル品質拡張を表す、
請求項１３の送信機。
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
複数のコンポーネントを備える通信ファブリックと、
前記通信ファブリックに結合されたプロセッサであって、
ファブリックブロック・インスタンスカウントレジスタから値を読み取ることであって、前記値は、前記通信ファブリック内のコンポーネントの数を指定する、前記読み取ることと、
各コンポーネントのレジスタを読み取ることによって、前記通信ファブリックの各コンポーネントに問い合わせを行うことであって、各レジスタは、対応するコンポーネントのブロックタイプの指標を少なくとも含み、処理ユニットであるブロックタイプについては、プロセッサコアの数と、プロセッサコア当たりのメモリチャネルの数と、を含む、ことと、
前記通信ファブリックの各コンポーネントの問い合わせに基づいて、ネットワークグラフを作成することと、
前記ネットワークグラフに基づいて、ルーティングテーブルを生成することと、
を行うように構成される、前記プロセッサと、
を備える、システム。
【請求項２】
前記プロセッサは、前記ルーティングテーブルを前記通信ファブリックの前記複数のコンポーネントにプログラムするようにさらに構成される、請求項１に記載のシステム。
【請求項３】
前記通信ファブリックの各コンポーネントは、それぞれのルーティングテーブルに基づいて、受信パケットをルーティングするように構成される、請求項２に記載のシステム。
【請求項４】
各レジスタは、コマンド及びデータポートのタイプ及び数、データバス幅、ネイバーインスタンス識別子（ＩＤ）及び／またはファブリックＩＤのうちの１つまたは複数を備える、請求項１に記載のシステム。
【請求項５】
前記ファブリックブロック・インスタンスカウントレジスタは、前記システム内のファブリックコンポーネントの合計数の指標を格納し、
前記ファブリックブロック・インスタンスカウントレジスタは、固定アドレスに存在する、請求項１に記載のシステム。
【請求項６】
前記ネットワークグラフは、ブロックタイプの指標、処理ユニット、プロセッサコアの数、コア当たりのメモリチャネルの数のうち１つ又は複数に基づいて作成される、請求項１に記載のシステム。
【請求項７】
前記ブロックタイプの指標は、対応するブロックが、コヒーレントマスタ、非コヒーレントマスタ、コヒーレントスレーブ、非コヒーレントスレーブまたはクロスバーのうち何れかであることの指標である、請求項１に記載のシステム。
【請求項８】
プロセッサによって、ファブリックブロック・インスタンスカウントレジスタから値を読み取ることであって、前記値は、通信ファブリック内のコンポーネントの数を指定する、前記読み取ることと、
前記プロセッサによって、各コンポーネントのレジスタを読み取ることによって、前記通信ファブリックの各コンポーネントに問い合わせを行うことであって、各レジスタは、対応するコンポーネントのブロックタイプの指標を少なくとも含み、処理ユニットであるブロックタイプについては、プロセッサコアの数と、プロセッサコア当たりのメモリチャネルの数と、を含む、ことと、
前記プロセッサによって、前記通信ファブリックの各コンポーネントの問い合わせに基づいて、ネットワークグラフを作成することと、
前記プロセッサによって、前記ネットワークグラフに基づいて、ルーティングテーブルを生成することと、
を備える、方法。
【請求項９】
前記ルーティングテーブルを前記通信ファブリックの複数のコンポーネントにプログラムすることをさらに備える、請求項８に記載の方法。
【請求項１０】
前記プロセッサによって、ブロックタイプの指標、処理ユニット、プロセッサコアの数、コア当たりのメモリチャネルの数のうち１つ又は複数に基づいて、前記ネットワークを作成することをさらに備える、請求項９に記載の方法。
【請求項１１】
各レジスタは、コマンド及びデータポートのタイプ及び数、データバス幅、ネイバーインスタンス識別子（ＩＤ）及び／またはファブリックＩＤのうちの１つまたは複数を備える、請求項８に記載の方法。
【請求項１２】
前記ファブリックブロック・インスタンスカウントレジスタは、前記通信ファブリック内のファブリックコンポーネントの合計数の指標を格納し、前記ファブリックブロック・インスタンスカウントレジスタは固定アドレスに存在する、請求項８に記載の方法。
【請求項１３】
セキュリティプロセッサが、前記ネットワークグラフを作成することと、前記ネットワークグラフに基づいてルーティングテーブルを生成することとをさらに備える、請求項８に記載の方法。
【請求項１４】
前記ブロックタイプの指標は、対応するブロックが、コヒーレントマスタ、非コヒーレントマスタ、コヒーレントスレーブ、非コヒーレントスレーブまたはクロスバーのうち何れかであることの指標である、請求項８に記載の方法。
【請求項１５】
１つまたは複数の処理ユニットと、
１つまたは複数のメモリデバイスと、
前記１つまたは複数の処理ユニット及び前記１つまたは複数のメモリデバイスに結合された通信ファブリックと、を備える装置であって、
ファブリックブロック・インスタンスカウントレジスタから値を読み取ることであって、前記値は、前記通信ファブリック内のコンポーネントの数を指定する、前記読み取ることと、
各コンポーネントのレジスタを読み取ることによって、前記通信ファブリックの各コンポーネントに問い合わせを行うことであって、各レジスタは、対応するコンポーネントのブロックタイプの指標を少なくとも含み、処理ユニットであるブロックタイプについては、プロセッサコアの数と、プロセッサコア当たりのメモリチャネルの数と、を含む、ことと、
前記通信ファブリックの各コンポーネントの問い合わせに基づいて、ネットワークグラフを作成することと、
前記ネットワークグラフに基づいて、ルーティングテーブルを生成することと、
を行うように構成される、前記装置。
【請求項１６】
前記装置は、前記ルーティングテーブルを前記通信ファブリックの複数のコンポーネントにプログラムするようにさらに構成される、請求項１５に記載の装置。
【請求項１７】
前記ネットワークグラフは、ブロックタイプの指標、処理ユニット、プロセッサコアの数、コア当たりのメモリチャネルの数のうち１つ又は複数に基づいて作成される、請求項１６に記載の装置。
【請求項１８】
各レジスタは、コマンド及びデータポートのタイプ及び数、データバス幅、ネイバーインスタンス識別子（ＩＤ）及び／またはファブリックＩＤのうちの１つまたは複数を備える、請求項１５に記載の装置。
【請求項１９】
前記ファブリックブロック・インスタンスカウントレジスタは、前記通信ファブリック内のファブリックコンポーネントの合計数の指標を格納し、前記ファブリックブロック・インスタンスカウントレジスタは固定アドレスに存在する、請求項１５に記載の装置。
【請求項２０】
前記ブロックタイプの指標は、対応するブロックが、コヒーレントマスタ、非コヒーレントマスタ、コヒーレントスレーブ、非コヒーレントスレーブまたはクロスバーのうち何れかであることの指標である、請求項１５に記載の装置。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
発光装置であって、
前記発光装置は搭載板、発光素子及び接続構造を含み、
前記搭載板は第一導電領域を含み、
前記発光素子は、第一光線を発する第一発光層と、前記第一発光層の下に形成された第一接触電極とを含み、前記第一接触電極が前記第一導電領域に対応し、かつ前記第一発光層の最外側辺を超えず、
前記接続構造は、第一電気接続部及び保護部を含み、前記保護部が前記第一接触電極及び前記第一電気接続部を囲み、かつ、前記第一電気接続部が前記第一導電領域及び前記第一接触電極に電気的に接続され、
前記第一電気接続部が上部分、下部分、及び前記上部分と前記下部分との間に位置するネック部を含み、前記下部分の幅が前記上部分の幅より大きく、前記ネック部の幅が前記上部分及び前記下部分より小さい、発光装置。
【請求項２】
前記上部分と前記下部分の材料組成が同じである、請求項１に記載の発光装置。
【請求項３】
前記上部分と前記下部分の材料組成が異なる、請求項１に記載の発光装置。
【請求項４】
前記第一電気接続部の厚さが５μｍより小さい、請求項１に記載の発光装置。
【請求項５】
前記第一電気接続部は、第一厚さを有する第一縁部と第二厚さを有する第二縁部を含み、
前記第一厚さが前記第二厚さより大きい、請求項１に記載の発光装置。
【請求項６】
前記第一縁部が前記ネック部構造を有し、かつ前記第二縁部が前記ネック部構造を有しない、請求項５に記載の発光装置。
【請求項７】
前記第一電気接続部が孔を含む、請求項１に記載の発光装置。
【請求項８】
前記上部分、前記ネック部及び前記下部分は何れも金元素を含む、請求項１に記載の発光装置。
【請求項９】
前記上部分、前記ネック部及び前記下部分は何れも錫元素を含む、請求項８に記載の発光装置。
【請求項１０】
前記上部分の金元素の原子パーセントが前記下部分の金元素の原子パーセントより大きい、請求項８に記載の発光装置。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
微小流体デバイスであって、
（ａ）細胞培養コンパートメントであって、
（ｉ）誘導多能性幹細胞（ｉＰＳＣ）由来肝実質細胞前駆細胞；
（ｉｉ）ｉＰＳＣ由来腸前駆細胞；
（ｉｉｉ）ｉＰＳＣ由来尿細管前駆細胞；及び
（ｉｖ）ｉＰＳＣ由来神経前駆細胞；
が別々に堆積され、（ｉ）、（ｉｉ）、（ｉｉｉ）及び（ｉｖ）に従う前記ｉＰＳＣ由来前駆細胞は、単一種の体細胞から得られた単一ドナーのｉＰＳＣから得られたものである、細胞培養コンパートメントと、
（ｂ）栄養液をシステムに添加するよう機能する貯留コンパートメントと、
を含む、微小流体デバイス。
【請求項２】
微小流体デバイスであって、
（ａ）細胞培養コンパートメントであって、
（ｉ）誘導多能性幹細胞（ｉＰＳＣ）由来肝実質細胞オルガノイド；
（ｉｉ）ｉＰＳＣ由来腸オルガノイド；及び
（ｉｉｉ）ｉＰＳＣ由来尿細管オルガノイド；
が別々に堆積され、（ｉ）、（ｉｉ）及び（ｉｉｉ）に従う前記ｉＰＳＣ由来オルガノイドは、単一種の体細胞から得られた単一ドナーのｉＰＳＣから得られたものである、細胞培養コンパートメントと、
（ｂ）栄養液をシステムに添加するよう機能する貯留コンパートメントと、
を含む、微小流体デバイス。
【請求項３】
請求項１又は２に記載の微小流体デバイスにおいて、
前記微小流体デバイスは、第１回路及び第２回路を含み、
（ｉ）、（ｉｉ）、（ｉｉｉ）、及び（ｉｖ）に従う前記ｉＰＳＣ由来前駆細胞、又は（ｉ）、（ｉｉ）及び（ｉｉｉ）に従う前記ｉＰＳＣ由来オルガノイドをそれぞれ収容する前記細胞培養コンパートメントは、前記第１回路の一部を構成し、
前記第２回路は、濾過ユニットおよび再吸収ユニットを含み、
両回路は、前記濾過ユニット及び前記再吸収ユニットを介して互いに連結されている、微小流体デバイス。
【請求項４】
請求項３に記載の微小流体デバイスにおいて、
前記濾過ユニットは、分子のサイズ及び電荷に基づき前記第１回路から前記第２回路へ前記分子を選択的に通過させる濾過障壁を含む、微小流体デバイス。
【請求項５】
請求項１〜４のいずれか一項に記載の微小流体デバイスの、分析試験、診断、研究、標的検証、毒性試験、組織化工学、組織生産、創薬スクリーニング及び／又は薬物動態−薬力学解析における使用。
【請求項６】
請求項１〜４のいずれか一項に記載の微小流体デバイスを利用する生体模倣システムにおいて分析物を検出する方法。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
複数対の差動信号導体と、接地導体と、絶縁シースと、被覆層と、金属導電部材と、を備え、
前記接地導体は、各隣接する２対の前記差動信号導体の間に設けられ、
前記絶縁シースは、前記複数対の差動信号導体および前記接地導体の外側を包み、
前記被覆層は、前記絶縁シースの外側を被覆し、
前記絶縁シースに開孔部が設けられ、前記接地導体は、前記開孔部内に露出し、前記開孔部は、前記接地導体の断面面積よりも大きい断面面積を有し、
前記金属導電部材の少なくとも一部は、前記開孔部内に収容され、前記接地導体と電気的に接触すし、
前記被覆層は絶縁層であり、
前記接地導体の数は、少なくとも２つであり、前記少なくとも２つの接地導体は、前記金属導電部材を介して短絡されている、
フラットケーブル。
【請求項２】
前記金属導電部材は、金属片、銀ペーストまたは錫ペーストである、
請求項１に記載のフラットケーブル。
【請求項３】
前記金属導電部材は、溶接、溶着、塗布または焼付凝固で前記接地導体の上に固着される、
請求項１または２に記載のフラットケーブル。
【請求項４】
前記金属導電部材は、一体型構造または別体型構造である、
請求項１または２に記載のフラットケーブル。
【請求項５】
前記導電性シールド層は、銅箔、アルミ箔、導電性布、または中間層に導電性材料が含まれる複合的なシールド材料である、
請求項１に記載のフラットケーブル。
【請求項６】
複数対の差動信号導体と、接地導体と、絶縁シースとを提供し、各隣接する２対の前記差動信号導体の間に前記接地導体を設け、前記絶縁シースで前記複数対の差動信号導体および前記接地導体の外側を包むことと、
前記絶縁シースの一部を除去して開孔部を形成し、前記接地導体を前記開孔部内に露出させ、前記開孔部の断面面積を前記接地導体の断面面積よりも大きくすることと、
金属導電部材を提供し、前記金属導電部材の少なくとも一部を、前記開孔部内に収容して、前記接地導体と電気的に接触するようにすることと、
被覆層を提供し、前記被覆層を前記絶縁シースおよび前記金属導電部材の外側に被覆することと、を含み、
前記被覆層は、絶縁層であり、
前記接地導体の数は、少なくとも２つであり、前記少なくとも２つの接地導体は、前記金属導電部材を介して短絡されている、
フラットケーブルの製造方法。
【請求項７】
前記金属導電部材は、金属片、銀ペーストまたは錫ペーストである、
請求項６に記載のフラットケーブルの製造方法。
【請求項８】
前記金属導電部材は、溶接、溶着、塗布または焼付凝固で前記接地導体の上に固着される、
請求項６または７に記載のフラットケーブルの製造方法。
【請求項９】
前記金属導電部材は、一体型構造または別体型構造である、
請求項６または７に記載のフラットケーブルの製造方法。
【請求項１０】
前記導電性シールド層は、銅箔、アルミ箔、導電性布、または中間層に導電性材料が含まれる複合的なシールド材料である、
請求項６に記載のフラットケーブルの製造方法。
【請求項１１】
前記絶縁シースの一部を除去する手段は、レーザー照射、打ち抜き、またはシースの原材料に穴を開けること、を含む、
請求項６に記載のフラットケーブルの製造方法。
【手続補正書】
【提出日】令和3年10月7日(2021.10.7)
【手続補正１】
【補正対象書類名】明細書
【補正対象項目名】０００７
【補正方法】変更
【補正の内容】
【０００７】
米国特許第4602097号（Ulano Corporation）、英国特許第2108487号（Sericol Group）、及びUS 2017/107386（Sun Chemical Group）は、水溶性のチオキサントンを開示するが、残念なことには、このクラスに属する化合物は、露光時、黄変を生じ易く、これにより、限定された安定性を有する分解生成物を形成する。その結果、初期の黄変は、貯蔵時に、予想外にシフトする。特に、イメージング、例えば、インクジェット印刷では、この不安定な黄変挙動は、最終像における画調の制御を全く困難なものとする。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
アルファ−シヌクレイン（α−Ｓｙｎ）ペプチド免疫原コンストラクトであって、
配列番号１のアミノ酸Ｇ１１１からアミノ酸Ｄ１３５までに対応するα−ＳｙｎのＣ末端フラグメントからの１０から２５アミノ酸残基を含む、Ｂ細胞エピトープと；
配列番号７０〜９８からなる群から選択されるアミノ酸配列を含むＴヘルパーエピトープと；
アミノ酸Ｌｙｓ−、Ｇｌｙ−、Ｌｙｓ−Ｌｙｓ−Ｌｙｓ−、（α，ε−Ｎ）Ｌｙｓ、及びε−Ｎ−Ｌｙｓ−Ｌｙｓ−Ｌｙｓ−Ｌｙｓ（配列番号１４８）からなる群から選択される必要に応じた異種スペーサーと、を含み、
前記Ｂ細胞エピトープが、前記Ｔヘルパー細胞エピトープに直接または前記必要に応じた異種スペーサーを介して共有結合している、前記α−Ｓｙｎペプチド免疫原コンストラクト。
【請求項２】
前記Ｂ細胞エピトープが、配列番号１２〜１５、１７、及び４９〜６３からなる群から選択される、請求項１に記載のα−Ｓｙｎペプチド免疫原コンストラクト。
【請求項３】
前記Ｔヘルパーエピトープが、配列番号８１、８３、及び８４からなる群から選択される、請求項１又は２に記載のα−Ｓｙｎペプチド免疫原コンストラクト。
【請求項４】
前記必要に応じた異種スペーサーが、（α，ε−Ｎ）Ｌｙｓまたはε−Ｎ−Ｌｙｓ−Ｌｙｓ−Ｌｙｓ−Ｌｙｓ（配列番号１４８）である、請求項１〜３のいずれか一項に記載のα−Ｓｙｎペプチド免疫原コンストラクト。
【請求項５】
前記Ｔヘルパーエピトープが、前記Ｂ細胞エピトープのアミノ末端に直接又は前記必要に応じた異種スペーサーを介して共有結合している、請求項１〜４のいずれか一項に記載のα−Ｓｙｎペプチド免疫原コンストラクト。
【請求項６】
以下の式：
（Ｔｈ）ｍ−（Ａ）ｎ−（α−ＳｙｎのＣ末端フラグメント）−Ｘ
または
（α−ＳｙｎのＣ末端フラグメント）−（Ａ）ｎ−（Ｔｈ）ｍ−Ｘ
を含み、
式中、
Ｔｈは前記Ｔヘルパーエピトープであり、
Ａは前記異種スペーサーであり、
（α−ＳｙｎのＣ末端フラグメント）は、前記Ｂ細胞エピトープであり、
Ｘはアミノ酸のα−ＣＯＯＨまたはα−ＣＯＮＨ２であり、
ｍは、１から約４であり、
ｎは１から約１０である、
請求項１〜５のいずれか一項に記載のα−Ｓｙｎペプチド免疫原コンストラクト。
【請求項７】
配列番号１０７、１０８、１１１〜１１３、及び１１５〜１４７からなる群から選択されるアミノ酸配列を含む、請求項１〜６のいずれか一項に記載のα−Ｓｙｎペプチド免疫原コンストラクト。
【請求項８】
請求項１〜７のいずれか一項に記載のα−Ｓｙｎペプチド免疫原コンストラクトを１つ以上含む、組成物。
【請求項９】
前記１つ以上のα−Ｓｙｎペプチド免疫原コンストラクトが配列番号１１２のアミノ酸配列、配列番号１１３のアミノ酸配列、又はその組み合わせを有する、請求項８に記載の組成物。
【請求項１０】
請求項１〜７のいずれか一項に記載のα−Ｓｙｎペプチド免疫原コンストラクト及び薬学的に許容される送達媒体及び／またはアジュバントを含む医薬組成物。
【請求項１１】
ａ．前記α−Ｓｙｎペプチド免疫原コンストラクトが、配列番号１０７、１０８、１１１〜１１３、及び１１５〜１４７からなる群から選択され、
ｂ．前記アジュバントが、Ａｌ（ＯＨ）３またはＡｌＰＯ４からなる群から選択されるアルミニウムの無機塩である、
請求項１０に記載の医薬組成物。
【請求項１２】
ａ．前記α−Ｓｙｎペプチド免疫原コンストラクトが、配列番号１０７、１０８、１１１〜１１３、及び１１５〜１４７からなる群から選択され、
ｂ．前記α−Ｓｙｎペプチド免疫原コンストラクトがＣｐＧオリゴデオキシヌクレオチド（ＯＤＮ）と混合されて、安定化された免疫刺激複合体を形成する、
請求項１０又は１１に記載の医薬組成物。
【請求項１３】
請求項１〜７のいずれか一項に記載のα−Ｓｙｎペプチド免疫原コンストラクトの前記Ｂ細胞エピトープに特異的に結合する、単離された抗体またはそのエピトープ結合フラグメント。
【請求項１４】
請求項１３に記載の単離された抗体またはそのエピトープ結合フラグメントを含む組成物。
【請求項１５】
ａ．配列番号１１２のＢ細胞エピトープに特異的に結合する、単離された抗体またはそのエピトープ結合フラグメントと、
ｂ．配列番号１１３のＢ細胞エピトープに特異的に結合する、単離された抗体またはそのエピトープ結合フラグメントと、
の混合物を含む、請求項１４に記載の組成物。
【請求項１６】
宿主においてα−Ｓｙｎを認識する抗体を産生する方法であって、請求項１〜７のいずれか一項に記載のα−Ｓｙｎペプチド免疫原と送達媒体及び／またはアジュバントとを含む組成物を前記宿主に投与することを含む、前記方法。
【請求項１７】
動物のα−Ｓｙｎ凝集を阻害する方法であって、薬理学的に有効な量の請求項１〜７のいずれか一項に記載のα−Ｓｙｎペプチド免疫原を前記動物に投与することを含む、前記方法。
【請求項１８】
動物のα−Ｓｙｎ凝集体の量を低減する方法であって、薬理学的に有効な量の請求項１〜７のいずれか一項に記載のα−Ｓｙｎペプチド免疫原を前記動物に投与することを含む、前記方法。
【請求項１９】
生体試料中の異なるサイズのα−Ｓｙｎ凝集体を同定する方法であって、
ａ．生体試料を、請求項１３に記載の抗体またはそのエピトープ結合フラグメントに、前記抗体またはそのエピトープ結合フラグメントが前記α−Ｓｙｎ凝集体に結合することを可能にする条件下で曝露することと、
ｂ．前記生体試料中の前記α−Ｓｙｎ凝集体に結合した前記抗体またはそのエピトープ結合断片の量を検出することと、
を含む、前記方法。